(57)【要約】【課題】本発明は断熱材の屋内側に中空層を有する建物において、中空層内の空気の移動を妨げずに、耐火性を向上した外被の壁構造および建物を提供する。【解決手段】外壁面部分の中空層を連通する連通部に面する外被部分を他の外被部分よりも耐火性能を向上させる。耐火性能を向上させる手段としては、例えば外被部分の断熱材の屋外側あるいは屋内側に耐火補強材を設けることや、当該部分の断熱材を難燃あるいは不燃性の断熱材を用いることが出来る。耐火補強材としては、合板、不燃性の板あるいは不燃性のメッシュ等を用いることが出来る。当該部分の外装材として耐火性を向上させた外装材を用いても良い。また、さらに中空層内あるいは連通部に区画材を設けることにより耐火性能をより向上させることが出来る。【選択図】    図１
2004353224.tif 000002
【特許請求の範囲】
【請求項１】
外装材と外装材の屋内側に断熱材を設けた建物の外被構造であって、断熱材の屋内側に中空層を設け、中空層の屋内側には内装材が設けられた部分と内装材が設けられていない部分を有し、内装材の面と対峙しない外被部分の耐火性能を、対峙する部分の耐火性能よりも高くしたことを特徴とする建物の壁構造。
【請求項２】
中空層の屋内側に内装材を設け、該中空層の屋外側に少なくとも断熱材と外装材を設けた建物の外被壁構造であって、内装材と断熱材が設けられた部分中空層間の空気の連通を可能とする中空層が設けられており、連通を可能とする中空層の外被部分の耐火性能を、他の外被部分の耐火性能よりも高くしたことを特徴とする建物の壁構造。
【請求項３】
耐火性能が異なる外被が設けられた中空層の境界部分に、前記中空層間の空気の連通を可能とする開口部を有する区画材を設けたことを特徴とする請求項１から請求項２のいずれかに記載の建物の壁構造。
【請求項４】
外装材の屋内側に設けた断熱材と基礎によって外気と区画された内部空間を有し、内部空間には、内装材で囲まれた居住空間と居住空間以外の部分からなる中空層とが形成された建物であって、中空層は外気と連通可能であることを特徴とする請求項１から請求項３のいずれかに記載の建物の外被構造。
【請求項５】
外装材と外装材の屋内側に断熱材を設けた建物の外被構造であって、断熱材の屋内側に中空層を設け、中空層の屋内側には内装材が設けられた部分と内装材が設けられていない部分を有し、内装材の面と対峙しない外被部分の耐火性能を、対峙する部分の耐火性能よりも高くしたことを特徴とする建物の壁構造を有する建物。
【請求項６】
中空層の屋内側に内装材を設け、該中空層の屋外側に少なくとも断熱材と外装材を設けた建物の外被壁構造であって、内装材と断熱材が設けられた部分中空層間の空気の連通を可能とする中空層が設けられており、連通を可能とする中空層の外被部分の耐火性能を、他の外被部分の耐火性能よりも高くしたことを特徴とする建物の壁構造を有する建物。
【請求項７】
耐火性能が異なる外被が設けられた中空層の境界部分に、前記中空層間の空気連通を可能とする開口部を有する区画材を設けたことを特徴とする請求項１から請求項２のいずれかに記載の建物の壁構造を有する建物。
【請求項８】
外装材の屋内側に設けた断熱材と基礎によって外気と区画された内部空間を有し、内部空間には、内装材で囲まれた居住空間と居住空間以外の部分からなる中空層とが形成された建物であって、中空層は外気と連通可能であることを特徴とする請求項１から請求項３のいずれかに記載の建物の壁構造を有する建物。
【発明の詳細な説明】
【０００１】
【発明の属する技術分野】
本発明は、外装材屋内側に断熱材と中空層を有する建物外被を含む耐火壁構造およびこの耐火壁構造を有する建物に関する。
【０００２】
【従来の技術】
木造住宅の外部火災に対する耐火性能は、平成１４年６月施行の建築基準法第２条第８号に規定される防火構造として外装材と断熱材などを組み合わせた外被構造のみであるか、外装材、断熱材及び内装材までを含んだ構造による熱伝播速度、火炎遮断及び構造躯体の保持等の性能で評価されている。ここで、外被構造のみで耐火性能を得るには、一般的には石造、ＲＣ造、モルタル及び漆喰等の熱を伝えにくい密度の大きい材料が使用されているので、このため、工事も大掛かりになり時間を費やし経済性や施工性が、内装材までを含む構造に比較して劣ってしまう。
【０００３】
また、外被と内被との間に中空層を有し空気の連通部を有する建物では、耐火性能の確保に用いられる手段例えば内被に隙間を設けない、連通部を設けないことが中空層相互の連通の妨げとなっていた。このため、該建物では通気を確保するために、外被部分のみで耐火性能を得る外被構造を採用されている。また、経済性、施工性を考慮して用いる内装材を考慮して耐火性能向上する手段として、中空層を連通させるために横架材や鉛直材に通気部を設けることが色々と提案されているが、構造強度や耐火性能が十分とは言い難いものである。
【０００４】
通気層を区画して耐火性能を向上させる手段として壁体内区画材（火炎ストッパー）を用いた例が提案されている。（例えば特許文献１参照）。該火炎ストッパーは、中空層の壁体内通気路を小さい孔とすることで、火災の発生の時に中空層（壁体の中空層）を酸素欠乏状態として、火炎の拡がりを最小限に抑える効果をもつ板状の火炎ストッパーであるが、該ストッパーでは外被と内装材の間に構成される中空層が外気と連通可能な建物の場合は、新鮮空気が中空層に供給されるため酸素欠乏状態とはなり難いものである。
【０００５】
【特許文献１】実開平６−２２４１６号公報（図３，４）
【０００６】
【発明が解決しようとする課題】
上記問題に鑑み、本発明は建物外被部分に中空層を有する建物において、中空層内の空気の移動を妨げずに、外部火災に対する耐火性能を向上し、平成１４年６月施行の建築基準法に適合した防火性能となる壁構造および建物を提供するものである。
【０００７】
【課題を解決するための手段】
本発明は、外被の耐火性能を部分的に変えることにより、簡単な手段で耐火性能を向上させることが出来ることを見いだしたものである。さらには中空層間を区画する区画材を設けることにより更に耐火性能を向上させることが出来る。
【０００８】
すなわち、本願発明は、
外装材と外装材の屋内側に断熱材を設けた建物の外被構造であって、断熱材の屋内側に中空層を設け、中空層の屋内側には内装材が設けられた部分と内装材が設けられていない部分を有し、内装材の面と対峙しない外被部分の耐火性能を、対峙する部分の耐火性能よりも高くしたことを特徴とする建物の壁構造（請求項１）。
【０００９】
中空層の屋内側に内装材を設け、該中空層の屋外側に少なくとも断熱材と外装材を設けた建物の外被壁構造であって、内装材と断熱材が設けられた部分中空層間の空気の連通を可能とする中空層が設けられており、連通を可能とする中空層の外被部分の耐火性能を、他の外被部分の耐火性能よりも高くしたことを特徴とする建物の壁構造（請求項２）。
【００１０】
耐火性能が異なる外被が設けられた中空層の境界部分に、前記中空層間の空気の連通を可能とする開口部を有する区画材を設けたことを特徴とする請求項１から請求項２のいずれかに記載の建物の壁構造（請求項３）。
【００１１】
外装材の屋内側に設けた断熱材と基礎によって外気と区画された内部空間を有し、内部空間には、内装材で囲まれた居住空間と居住空間以外の部分からなる中空層とが形成された建物であって、中空層は外気と連通可能であることを特徴とする請求項１から請求項３のいずれかに記載の建物の外被構造（請求項４）。
【００１２】
外装材と外装材の屋内側に断熱材を設けた建物の外被構造であって、断熱材の屋内側に中空層を設け、中空層の屋内側には内装材が設けられた部分と内装材が設けられていない部分を有し、内装材の面と対峙しない外被部分の耐火性能を、対峙する部分の耐火性能よりも高くしたことを特徴とする建物の壁構造を有する建物（請求項５）。
【００１３】
中空層の屋内側に内装材を設け、該中空層の屋外側に少なくとも断熱材と外装材を設けた建物の外被壁構造であって、内装材と断熱材が設けられた部分中空層間の空気の連通を可能とする中空層が設けられており、連通を可能とする中空層の外被部分の耐火性能を、他の外被部分の耐火性能よりも高くしたことを特徴とする建物の壁構造を有する建物（請求項６）。
【００１４】
耐火性能が異なる外被が設けられた中空層の境界部分に、前記中空層間の空気連通を可能とする開口部を有する区画材を設けたことを特徴とする請求項１から請求項２のいずれかに記載の建物の壁構造を有する建物（請求項７）。
【００１５】
外装材の屋内側に設けた断熱材と基礎によって外気と区画された内部空間を有し、内部空間には、内装材で囲まれた居住空間と居住空間以外の部分からなる中空層とが形成された建物であって、中空層は外気と連通可能であることを特徴とする請求項１から請求項３のいずれかに記載の建物の壁構造を有する建物（請求項８）。
【００１６】
以上により壁及び建物の耐火性能を向上させることが出来る。
【００１７】
ここでの外被とは外装材、断熱材とを含んだ部分を意味し、内被とは内装材、胴差し又は梁及び柱を含める。また、耐火性能とは外部からの火災に対する建物の安全性能をいい、連通部とは床下空間、階上用床下空間、小屋裏空間、その他壁体内空間同士の連通箇所のことをいう。本願の外被部分の防火性能を向上させる必要のある連通部（連通を可能とする中空層）は、階上用床下空間及び又は小屋裏空間の壁面外被部分である。
【００１８】
【発明の実施の形態】
以下、図１〜図５を参照して本発明の第１実施形態を説明する。
【００１９】
図１中符号１で示す建物の外壁は、外断熱を施した木造住宅であるとともに、外側通気層２と、内側の中空層を内側通気層として利用した壁体内通気路３とを備えている。本実施例では、このような建物に本発明を採用した場合を例に説明する。また、ここで述べる、不燃性とは建築基準法第２条第９項でいう不燃材料に適合する材料で作られた部材を、難燃性とは建築基準法施行令第１条第５項及び第６項に規定する準不燃材料及び難燃材料で作られた部材を示している。
【００２０】
建物１の躯体をなす壁体４の外側に断熱材５ａ、５ｂが外張りされているとともに、更に、この断熱材５ａ、５ｂの外面側に所定の隙間を設けて外装材６ａ、６ｂが外張りされることにより、壁部外側通気層２を設けることが出来る。断熱材５ａ、５ｂには、発泡ポリスチレンを一層又は複層としたボードを用いている。難燃性又は不燃性のフェノールフォーム、ＡＬＣ（軽量発泡コンクリート）、耐熱性合成樹脂の板等も使用することができる。発泡ポリスチレン以外の合成樹脂発泡断熱材例えば、発泡ポリエチレン、発泡ポリプロピレン、発泡ポリウレタン等も用いることが出来る。また、図１では断熱材の屋内側面に後述する面材３９をなどを配置しているがなくてもかまわない。
【００２１】
この断熱材５ａ、５ｂと外装材６ａ、６ｂとの間には上下方向に延びる図示しない胴縁が挟まれていて、これらの部材によって断熱材５ａ、５ｂの外側に外側通気層２を形成する前記隙間が確保されている。断熱材５ｂの外側表面には耐火補強部材４４が設けられている。この耐火補強部材４４を用いることで、当該部分の外被部分の耐火性能が、耐火補強材４４を設けていない外被部分より耐火性能を高くすることが出来る。耐火補強部材４４は、ガラスメッシュが好適に使用できる。更に、この耐火補強部材４４は、断熱材５ｂの室内側表面に設けることもでき、難燃性又は不燃性のフェノールフォーム、ＡＬＣ、モルタル、耐熱性合成樹脂、金属（鉄、ステンレス等）、ガラス、石綿の板やメッシュ等を使用できる。耐火補強部材４４は断熱材５ｂ相当箇所を越えて図１に示すように上下の断熱材５ａにかかるように設けておくことがより効果が安定して好ましい。
【００２２】
また、断熱材５ｂを上下方向に区切る縦壁体内区画材３１を配置して、耐火補強部材４４を固定してもよい。この縦壁体内区画材３１は木材が好適に使用でき、図示しない柱や間柱に断熱材を貫通して固定されていることが取り付け強度の面から好ましい。
【００２３】
縦壁体内区画材３１は、断熱材を左右方向に区切る様に設けることもでき、難燃性又は不燃性のフェノールフォーム、ＡＬＣ、モルタル、耐熱性合成樹脂、金属（鉄、ステンレス等）、ガラス等を材料とした部材をも使用できる。また、縦壁体内区画材３１により区画された断熱材５ｂ部分を難燃性あるいは不燃性の断熱材を用いると、耐火補強部材４４を用いても用いなくても当該外被部分の耐火性能を例えば発泡ポリスチレン等の断熱材が用いられている５ａ部分の外被部分よりも高くすることが出来る。更に、断熱材５ｂが難燃性又は不燃性の場合には、当該断熱材と同じ材質の縦壁体内区画材を設けることも出来るし、断熱材表面に凹凸形状を設ける等により断熱材と縦壁体内区画材３１を兼ねることができる。
【００２４】
壁部外側通気層２の下端は雨仕舞のための水切りまわりで大気中に連通されている。建物１の小屋裏空間７も外断熱を施されている。そのために、図１に示すように外装材をなす屋根材８の裏側に小屋裏断熱材９が配設され、これらの間に屋根部外側通気層１０が形成されている。小屋裏断熱材９と壁部の断熱材５とは連続している。屋根部外側通気層１０の軒側付近では前記壁部外側通気層２の上端が連通されているとともに、外側通気層１０の上部は屋根部に設けた図示しない排気口に連通されている。なお、外側通気層２は軒下付近で外気と連通していても良い。この場合は外側通気層１０とは必ずしも連通していなくても良い。屋根部外側通気層１０が壁部外側通気層と連通していない場合は、軒下付近に外気と連通する開口部を設けておくこと屋根部の熱気を排出するためには必要である。
【００２５】
小屋裏断熱材９には、前記断熱材５ａ、５ｂと同種の断熱材を使用できる。図１に示すように建物１の上部の小屋裏空間には、小屋裏換気部として小屋裏空間７と屋外との連通を任意に開閉できる小屋裏ダンパー１１が取り付けられている。このダンパーの個数は適宜選択することが出来る。このダンパー１１は、手動又は電動により開閉できるものであって、ドレーキップ窓や天窓等の開口部開閉用の通常の建具を包含し、又、電動ファンを備えていても良い。
【００２６】
図１中符号１２は建物１の断熱材１３ａが施された基礎コンクリート１３によって区画された床下空間を示している。断熱材１３ａは床下空間１２内の温度が外気温の影響を受けにくくするためには、基礎コンクリート外側に施すことが望ましいが、屋内側であってもよい。基礎コンクリート１３は所定箇所に１以上の床下換気口１４を有している。換気口１４は手動又は電動により任意に開閉できる床下ダンパー１５が取り付けられている。
【００２７】
基礎コンクリート１３上には土台１６が固定されている。この土台１６上には壁体内通気路３を有する軸組構造の壁体４が設けられている。壁体４は、上端部が小屋裏空間７に臨む柱１７、土台１６、桁１８、胴差又は梁３８、壁体内を区切る縦横壁体内区画材のうち少なくとも横区画材、すなわち、縦壁体内区画材２３〜２５、及び図示しない筋交いなどを軸組に緊結して構成されている。なお、図１中符号３９は、壁体４等の屋外面に配置された合板などの面材を示し、断熱材５ａ、５ｂの屋内面を覆っている。面材３９を設けることにより断熱材５ａ、５ｂが直接内側面に晒されなくなる。これによって、断熱材の施工性が向上することと、内部火災による熱や炎の影響を受けにくくなる。
【００２８】
図１及び本願の図には、壁体内空間を区切る縦壁体内区画材２３〜２５や、網状体４２を用いた例を示しているが、本発明においては、内装材の面と対峙しない外被部分の耐火性能を、対峙する部分の耐火性能よりも高くしたことを特徴としており、これら部材を用いなくても良いが、これら部材を用いることでより耐火性能が向上するので好ましい。縦壁体内区画材２３〜２５は、所定厚みを有する木材など炭化層を形成し得る材料を使用することが好ましく、木材の場合の厚みは例えば３０ｍｍ以上とすればよい。更に、縦壁体内区画材２３〜２５は、壁体内空間を左右方向に区切ることもでき、難燃性又は不燃性のフェノールフォーム、ＡＬＣ、耐熱性合成樹脂、金属（鉄、ステンレス等）、ガラスを材料とした部材も使用できる。図１では、縦壁体内区画材２３〜２５は、壁体内に隙間無く設けておくことが必要であり、いずれも壁体４の幅と同じ幅の木材で作られているが、スペーサー等を用いて隙間を防ぐように設けられていてもかまわない。
【００２９】
縦壁体内区画材２３〜２５に木材を用いる場合は、杉、松、米つがなどの無垢材又は構造用集成材といったものを例示できる。更に、図１では縦壁体内区画材２３〜２５は、耐火補強部材４４が固定された縦壁体内区画材３１と同じ位置で中空層内に配置されその両端部は柱や梁等の構造躯体に緊結されているが、スペーサー等を介して取り付けられていても良い。また、耐熱性合成樹脂などの吸水性の小さい材質とする場合には縦壁体内区画材３１と一体の部材とすることが出来、好ましい。但し、木材等の吸水性のある材料を一体化して使用する場合は、熱橋（ヒートブリッジ）や壁体内結露の恐れがあるため、木材等に防湿措置を施すことが好ましい。
【００３０】
壁用内装材２６は、内装下地材およびこの表面に張られて居住空間に臨む石膏ボードなどからなる。壁用内装材２６の下端には床体を構成する面材例えば耐力面材２７が連結され、これらの耐力面材２７は階下用又は階上用の床根太２８又は３２上に個別に支持されている。
【００３１】
床下空間１２に臨んだ階下用耐力面材２７は、土台１６上に端部２８ａを支持された階下用床根太２８上に取り付けられている。そのため、階下用床根太２８の厚み分の隙間からなる通気の出入り部分２９が設けられ、この部分２９を介して壁体４の最も下側の壁体内空間４ａと１階の床下空間１２とが連通されている。最も上位置の壁体内区画材２３の上側部分は小屋裏空間７に連通されている。
【００３２】
２階や３階などの階上の床体をなす耐力面材２７を下側から支持する床根太３２の端部３２ａは、胴差又は梁３８上に支持されている。そのため、階上用床根太３２に応じた隙間からなる通気の出入り部分２９が設けられている。この出入り部分２９を介して階上と階下との間の階上用床下空間３４と胴差又は梁３８より上側の壁体内空間４ｃ部分とが連通している。又、階上用床下空間３４は胴差又は梁３８のより下側の壁体内空間４ｂ部分に開放されている。
【００３３】
上下に隣接する縦壁体内区画材２３、２４間の壁体内空間４ｄは、縦壁体内区画材２３を厚み（上下）方向に貫通して設けられた１以上好ましくは複数の通気孔３３を通って小屋裏空間７と連通されている。壁体内空間４ｄの下側で胴差又は梁３８を間に置いてその上下に配設された縦壁体内区画材２４、２５間の壁体内空間４ｃは、縦壁体内区画材２４を厚み（上下）方向に貫通して設けられた１以上好ましくは複数の通気孔３３を通って上側の壁体内空間４ｄと連通されている。壁体内空間４ｂとその下側の壁体内空間４ａとは、これらの間を仕切った縦壁体内区画材２５を厚み（上下）方向に貫通して設けられた１以上好ましくは複数の通気孔３３を通って連通されている。
【００３４】
図１中符号３６は居住空間の天井をなす階下用又は階上用の内装材を示す。この天井用内装材３６は、内装下地材、この表面に張られて居住空間に臨む石膏ボード、及び内装下地材の裏面に吸音層などを必要により設けても良い。
【００３５】
図２〜図５は、壁体の胴差又は梁３８まわりで壁体内空間４ｂ、４ｃ及び階上用床下空間３４が連通する部分の断面図を示している。
【００３６】
図２は、縦壁体内区画材２４、２５間の壁体内空間４ｂ、４ｃが屋外側に設置される耐火性能区画７１で用いられる外装材６ｂ、断熱材５ｂとこの断熱材よりも広い範囲で設置される耐火補強部材４４と合板３９で耐火性能を有する構造となり、壁体内区画４ａ、４ｄは縦壁体内区画材２４より上方、縦壁体内区画材２５より下方で耐火性能区画７２の屋外側に外装材６ａ、断熱材５ａ、屋内側に壁用内装材２６が設置されることで耐火性能を有する壁断面構造を示している。
【００３７】
図３は、図２において、耐火補強部材４４を用いず、合板３９を用いることにより耐火性能を向上させた壁断面構造を示している。ここで使用する面材には合板３９の他にも、窯業系ボード、石造板、ＡＬＣ、せっこうボード、珪酸カルシウム板等が好適に使用できる。
【００３８】
図４は、図２において、断熱材の間に断熱材を上下方向に区切る縦壁体内区画材３１を設けた場合における耐火性能を有する壁断面構造を示している。
【００３９】
図５は、図４において、壁体内区画と断熱材を上下方向に区切り、本来断熱材部分を区画する縦壁体内区画材３１を兼ねる縦壁体内区画材２４、２５を用いた場合の壁断面構造を示している。また、図２〜図５のいずれかで、断熱材５ｂが不燃性例えばフェノールフォーム、ＡＬＣ、耐熱性合成樹脂等であれば耐火補強部材４４は省略できる。
【００４０】
このように壁体の胴差又は梁３８まわりの壁体内空間４ｂ、４ｃ及び階上用床下空間３４に面する耐火性能区画７１を耐火補強部材４４及あるいは合板３９のいずれかの組み合わせによって耐火性を高める事が出来、さらに縦壁体内区画材２４、２５，３１を適宜配置して異なる耐火性能区画７２の壁体内空間４ａ、４ｄを区切ることでこの胴差又は梁３８まわりの耐火性能区画７１を有効に火災から守りかつ耐火性能区画７２との耐火性の干渉を抑えることができるので好ましい。また、本願別の態様として、図示しない耐火性能区画７１の外装材６ｂを耐火性能の高い外装材、例えば石造、ＲＣ造（軽量コンクリートを含む）、モルタル及び漆喰塗り、ＡＬＣ、タイル張り、煉瓦積み等を用いることや、耐火性能区画７１に該当する断熱材を不燃性例えばフェノールフォーム、ＡＬＣ、耐熱性合成樹脂を用いることにより、耐火性能区画７２より耐火性能を高くすることが出来本願の耐火性能を満たすことが出来る。
【００４１】
図６（Ａ）の縦壁体内区画材２３〜２５は、その一側部に上下両面に夫々開放する溝からなる通気孔３３が、長手方向に間隔的に設けられている。図６（Ｂ）の縦壁体内区画材２３〜２５では、その一側部に上下両面に夫々開放する例えば長円状の通気孔からなる通気孔３３が、長手方向に間隔的に設けられている。図６（Ｃ）の縦壁体内区画材２３〜２５は、その一側部に上下両面に夫々開放する溝からなる通気孔３３が、長手方向に間隔的に設けられ、かつ、他側部にも上下両面に夫々開放する溝が長手方向に間隔的に設けられている。
【００４２】
図６（Ａ）〜（Ｃ）の縦壁体内区画材２３〜２５に設けられる通気孔３３は、その通気孔３３の下方で発生した熱が上方に伝わるのを出来得るかぎり遅延させる大きさおよび形状であるのが好ましく、例えば、直径２０ｍｍ以下の丸孔や幅２０ｍｍ以下の角孔等が例示できる。
【００４３】
以下、第２から第４の実施形態の説明をする。これらの実施形態は基本的には第１実施形態と同じ構成であるので、同じ構成には第１実施形態と同じ符号を付して、その構成および作用の説明を省略し、異なる部分について説明する。
【００４４】
図７に示す本発明の第２実施形態は、本発明の特徴とする外被構造に利用する区画材の一つの実施例を示す。ここでは、小屋裏空間７に開放された壁体内空間４ｅと壁体内空間４ｄを区画する縦壁体内区画材２３に設けられた通気孔３３の下面を塞ぐように網状体４２が取り付けられている。この網状体４２は、通気孔３３の上面、内部にも設けられることができるが、下方からの火炎を遮る効果をより得るには火炎を受ける側すなわち通気孔３３の下方に設けることが好ましい。また、網状体４２は通気性及び耐火性を有する材料で作られている。この網状体４２には、難燃性又は不燃性例えば金属で具体的には鉄又はステンレス等で作られた金網を好適に使用できる。この網状体４２のメッシュの大きさは１．０ｍｍ〜５．０ｍｍ角とするとよい。メッシュの大きさを１．０ｍｍ以下とすることは通気性が阻害され易くなる。また、５．０ｍｍ以上とすることは、火炎を遮る機能が低下するため好ましくない。又、メッシュを（２．０±０．５）ｍｍ以下とすることは蟻や蚊等の防虫性能を期待できる点でも望ましい。さらに、火災時に図示しない温度上昇によって発泡膨張し通気孔を閉塞する耐火発泡材や熱感応によって通気孔を塞ぐ形状記憶合金等を設置することも出来る。
【００４５】
網状体４２は、通気孔３３より大きい形状、つまり、未実施形態では縦壁体内区画材２３〜２５の下面形状と略同じ形状をなしている。この網状体４２は複数の通気孔３３の出入り口を塞ぐように設けられ、釘やネジ等で火災時の爆風にも耐えられるよう緊結されている。また、網状体４２は自ら基材として壁体内を区画できる。この場合、図７で基材として用いられている壁体内区画材２３〜２５は省略できる。
【００４６】
図８に示す本発明の第３実施形態は、本発明の特徴とする外被構造に利用する区画材を階上用床下空間３４で利用する実施例を示す。ここでは、階上用床下空間３４に開放された壁体内空間４ｂと階上用床下空間３４とを区画する横壁体内区画材４５が設けられている。この横壁体内区画材４５は、縦壁体内区画材２３〜２５と同じ部材、形状で作ることができる。また、通気孔４６が設けられていて、この通気孔４６を塞ぐように網状体４７が取り付けられている。特に火炎を遮る効果をもつ網状体４７は省略することができる。
【００４７】
図９は、第１実施形態の縦壁体内区画材２３〜２５に加え、通気の出入り部分２９又は開放された階上用床下空間３４と壁体内空間４ｂ及び小屋裏空間７と壁体内空間４ｅを塞ぐように、横壁体内区画材４５が取り付けられている。
【００４８】
図１０は、第１実施形態の壁体内区画材２３〜２５として網状体４２を用いた例を示している。図１０では、通気の出入り部分２９又は開放された階上用床下空間３４と壁体内空間４ｂ及び小屋裏空間７と壁体内空間４ｅを塞ぐようにも網状体４２が基材として取り付けられており、区画材として網状体が用いられることを示している。また、図１０は図９の区画材を網状体に代えた例を示している。
【００４９】
図１１は、第１実施形態の壁体内区画材２３〜２５に加え、通気の出入り部分２９又は開放された階上用床下空間３４と壁体内空間４ｂ及び小屋裏空間７と壁体内空間４ｅを塞ぐように、横壁体内区画材４５かつ網状体４２が取り付けられている。
【００５０】
図１２は、第１実施形態の壁体内区画材２３〜２５に加え、壁体内空間４ｂと階上用床下空間３４が石膏ボード等の不燃性の内装材２６で区切られていて、通気部２６ａが内装材２６に設けられている。この図示しない通気部の形状は壁体内区画材２３〜２５と同様に例えば長円状の通気孔、溝等を間隔的に設けることができる。また、通気部２６ａは、火災時に火災の熱が伝わるのを出来得るかぎり遅延させる大きさであるのが好ましく、例えば、直径２０ｍｍ以下の丸孔や幅２０ｍｍ以下の角孔等が例示できる。かつ、図示しない通気性及び耐火性を有する材料で作られている前記網状体４２を好適に使用できる。
【００５１】
図１３は、基礎コンクリート１３に設けられた断熱材１３ａ、外装材６と壁用内装材２６との間に張り巡らせた断熱材５、屋根材８と小屋裏空間７との間に張り巡らせた小屋裏断熱材９によって外気と区画され、その内部に内装材で囲まれた室内空間３５と、この室内空間３５以外の部分からなる床下空間１２、階上用床下空間３４及び小屋裏空間７の中空層を有した建物であって、該中空層は、開閉可能な床下ダンパー１５及び該床下ダンパーよりも上部に形成した開閉可能な例えば小屋裏ダンパー１１によって外気と連通可能とした従来の建物を示す。
【００５２】
本発明は、既述のようにいわゆる柱や梁等の軸組で作られる、壁体を備えた木造軸組工法、及び枠組壁工法の壁体を備えたいわゆるツーバイフォー工法以外にも、壁体構造の一部を軽量形鋼に置換しいわゆるスチールハウスや鉄骨造とした建物にも適用可能である。又、本発明は、建物内部の間仕切壁等の内部にも適用できるとともに、繋留された船舶や地面に固定された車両等の建築物にも適用できる。
【００５３】
【発明の効果】
外装材と外装材の屋内側に断熱材を設けた建物において、断熱材の屋内側に中空層を設け、中空層の屋内側には内装材が設けられた部分と内装材が設けられていない部分を有し、内装材の面と対峙しない外被部分の耐火性能を、対峙する部分の耐火性能よりも高くしたことを特徴とする本発明の建物の壁構造及び建物により通気住宅の通気層及び連通部の通気を妨げずに外部火災に対する耐火性能が向上した外被構造および建物を提供することが出来る。
【図面の簡単な説明】
【図１】本発明の第１実施形態の建物が備える壁体まわりを示す断面図。
【図２】図１の壁体の胴差又は梁まわりの異なる断面構造の一部を示す断面図。
【図３】図１の壁体の胴差又は梁まわりの異なる断面構造の一部を示す断面図。
【図４】図１の壁体の胴差又は梁まわりの異なる断面構造の一部を示す断面図。
【図５】図１の壁体の胴差又は梁まわりの異なる断面構造の一部を示す断面図。
【図６】図６（Ａ）、（Ｂ）、（Ｃ）は、図１の建物に備えられる夫々異なる壁体内区画材の一部を示す斜視図。
【図７】本発明の第２実施形態の建物が備える壁体の小屋裏まわりを示す断面図。
【図８】本発明の第３実施形態の建物が備える２階以上の居室床下まわりを示す断面図。
【図９】本発明の第３実施形態の建物が備えられる異なる壁体まわりを示す断面図。
【図１０】本発明の第３実施形態の建物が備えられる異なる壁体まわりを示す断面図。
【図１１】本発明の第３実施形態の建物が備えられる異なる壁体まわりを示す断面図。
【図１２】本発明の第４実施形態の建物が備えられる異なる壁体まわりを示す断面図。
【図１３】従来の建物を示す断面図。
【符号の説明】
１・・・・建物（建物）
２・・・・壁部外側通気層（通気空間）
３・・・・壁体内通気路（内側通気層）
４・・・・壁体
４ａ、４ｂ、４ｃ、４ｄ、４ｅ・・・・壁体内空間（通気空間）
５ａ、５ｂ・・・・断熱材
６ａ、６ｂ・・・・外装材
７・・・・小屋裏空間
８・・・・屋根材
９・・・・小屋裏断熱材
１０・・・・屋根部外側通気層
１１・・・・小屋裏ダンパー（小屋裏換気部）
１２・・・・床下空間
１３・・・・基礎コンクリート
１３ａ・・・・断熱層
１４・・・・換気口
１５・・・・床下ダンパー（床下換気部）
１６・・・・土台
１７・・・・柱
１８・・・・桁
２３〜２５・・・・縦壁体内区画材
２６・・・・壁用内装材
２６ａ・・・・通気部
２７・・・・耐力面材
２８・・・・床根太
２９・・・・通気の出入り部分
３１・・・・縦壁体内区画材
３２・・・・床根太
３３・・・・通気孔
３４・・・・階上用床下空間
３５・・・・室内空間
３６・・・・天井用内装材
３８・・・・胴差又は梁
３９・・・・面材
４２・・・・網状体
４４・・・・耐火補強部材
４５・・・・横壁体内区画材
４６・・・・通気孔
４７・・・・網状体
４８・・・・壁体内通気路（内側通気層）
７１・・・・耐火性能区画
７２・・・・耐火性能区画
【図１】
2004353224.tif 000003
【図２】
2004353224.tif 000004
【図３】
2004353224.tif 000005
【図４】
2004353224.tif 000006
【図５】
2004353224.tif 000007
【図６】
2004353224.tif 000008
【図７】
2004353224.tif 000009
【図８】
2004353224.tif 000010
【図９】
2004353224.tif 000011
【図１０】
2004353224.tif 000012
【図１１】
2004353224.tif 000013
【図１２】
2004353224.tif 000014
【図１３】
2004353224.tif 000015